(57)【特許請求の範囲】
【請求項１】
ペットの糞尿を収容可能な容器本体と、前記容器本体に設けられた開口部を閉塞可能な蓋体と、前記容器本体に対して着脱可能に構成された電灯器とを備えた糞尿用容器であって、
前記容器本体および前記蓋体の少なくとも一方には、前記開口部を閉塞した当該蓋体が当該容器本体よりも上方に位置する状態で当該糞尿用容器を持ち運び可能な取っ手が設けられ、
前記電灯器は、前記容器本体に装着された状態において、前記開口部を上向きにした状態における当該容器本体の側方を照明する第１の照明状態、および当該開口部を上向きにした状態における当該容器本体の下方を照明する第２の照明状態の少なくとも２種類の状態で照明可能に構成されている糞尿用容器。
【請求項２】
前記容器本体は、前記開口部が開口されているときに前記電灯器を前記第１の照明状態における照明が可能な状態に移行させると共に、当該開口部が閉塞されているときに当該電灯器を前記第２の照明状態における照明が可能な状態に移行させる状態切替え機構を備えている請求項１記載の糞尿用容器。
【請求項３】
前記電灯器は、前記第１の照明状態における照明および前記第２の照明状態における照明のいずれかに切り替える切替えスイッチを備えると共に、前記開口部を上向きにした状態における前記容器本体の底部に装着可能に構成され、
前記状態切替え機構は、プッシュロッドを備えて構成され、
前記プッシュロッドは、前記開口部を上向きにした状態における前記容器本体の上下方向に沿ってスライド可能に当該容器本体に配設されると共に、前記蓋体による前記開口部の開閉に連動してスライドさせられて前記切替えスイッチを操作する請求項２記載の糞尿用容器。
【請求項４】
前記電灯器は、前記容器本体に設けられた被螺合部に螺合可能な螺合部が設けられて当該螺合部を当該被螺合部に螺合されることによって当該容器本体に装着可能に構成されている請求項１から３のいずれかに記載の糞尿用容器。
【請求項５】
前記容器本体に装着された状態の前記電灯器に対して着脱可能に構成された貯水槽を備えている請求項１から４のいずれかに記載の糞尿用容器。
【請求項６】
前記貯水槽は、前記容器本体における前記電灯器の装着場所に当該電灯器に代えて装着可能に構成されている請求項５記載の糞尿用容器。
【発明の詳細な説明】
【技術分野】
【０００１】
本発明は、犬や猫などのペットの糞尿を収容可能に構成された糞尿用容器に関するものである。
【背景技術】
【０００２】
ペットの散歩に際しては、ペットが排出した糞尿を排出場所に放置せずに自宅に持ち帰る必要があり、糞尿を収容するためのビニール袋などを携行することが広く実施されている。また、下記の特許文献に開示のペット用汚物容器のように糞尿の収容に特化した容器（以下、「糞尿用容器」ともいう）を携行する者も増えている。
【０００３】
この場合、下記の特許文献に開示の糞尿用容器は、着脱可能な底部を有する容器本体と、容器本体の上方開口部位を閉塞可能な蓋部とを備えている。また、蓋部は、内側に消臭材を収容（取付け）可能に構成されて容器本体に軸支されている。この糞尿用容器では、容器本体内に収容した糞尿から発せられる匂い成分や、容器本体および蓋部の内側に付着した匂い成分が、蓋部に取り付けられた消臭剤によって吸着されて消臭されるため、不快な匂いを覚えずに使用することが可能となっている。また、ビニール袋などを使用した場合には、糞尿や匂い成分の漏出を防止するために袋の開口端側を縛る作業が必要であるのに対し、糞尿用容器を使用した場合には、容器本体の開口部を蓋部によって閉塞するだけで容器本体からの糞尿や匂い成分の漏出を防止できる。さらに、この種の糞尿用容器によれば、糞尿等によって汚れが生じたときに洗浄することで繰り返し使用することができる。
【先行技術文献】
【特許文献】
【０００４】
【特許文献１】実用新案登録第３１１０４０６号公報（第４−５頁、第１−８図）
【発明の概要】
【発明が解決しようとする課題】
【０００５】
ところが、上記の特許文献に開示の糞尿用容器には、以下のような解決すべき課題が存在する。具体的には、上記の糞尿用容器は、ペットが排出した糞尿を収容可能な容器本体、および容器本体の開口部を開閉可能な蓋部を備えて構成されている。
【０００６】
この場合、ペットの散歩は、周囲が明るい日中だけでなく、夕刻や夜間などの暗い時間帯に行われることもある。また、そのような時間帯に街灯等が存在しない暗所を散歩させるときには、ペットが排出する糞尿を照らして視認可能とするために電灯器などを携行する必要がある。しかしながら、ペットに繋いだリードを一方の手に持った状態において、他方の手で糞尿用容器の蓋部を開閉し、ペットから排出される糞尿の落下位置に糞尿用容器を移動させたり（ペットから容器本体内に糞尿を直接落下させる場合）、落下した糞尿を糞尿用容器内に収容したり（地面等に落下した糞尿を回収して容器本体内に収容する場合）するときには、電灯器を手に持って保持することができない。このため、電灯器またはリードを口で咥えたり脇の下に挟んだりして保持する必要があり、糞尿の収容作業が極めて煩雑となっている。
【０００７】
また、周囲が暗い時間帯に散歩を行う際には、上記のような糞尿の回収作業時だけでなく、歩行中に飼い主の足下を照らす必要もある。このため、暗い時間帯の散歩時に、糞尿用容器および電灯器などの多数の携行品を携行する必要があり、この点についても解決する必要がある。
【０００８】
一方、ペットの散歩時に、糞尿によって汚れが生じた地面等を洗い流すための水を携行する習慣が拡がりつつある。例えば、上記の特許文献にも洗浄用の水を入れた洗浄用ボトルを糞尿用容器と共に携行し、地面等に汚れが生じたときに洗浄用ボトル内の水によって洗い流すといったことが開示されている。しかしながら、周囲が暗い時間帯の散歩時には、糞尿用容器および洗浄用ボトルの他に電灯器を携行しなくてはならず、結果として、すべての携行品を収容可能な袋体などを用意してそれらを携行する必要が生じている。この点についても解決するのが好ましい。
【０００９】
本発明は、かかる問題点に鑑みてなされたものであり、周囲が暗い時間帯の散歩時に、糞尿の収容作業を容易に行うことができ、かつ別個に手に持つ携行品の数を減らすことが可能な糞尿用容器を提供することを主目的とする。また、糞尿によって汚れが生じた地面等を洗い流すための水を容易に携行し得る糞尿用容器を提供することを他の目的とする。
【課題を解決するための手段】
【００１０】
上記目的を達成すべく、請求項１記載の糞尿用容器は、ペットの糞尿を収容可能な容器本体と、前記容器本体に設けられた開口部を閉塞可能な蓋体と、前記容器本体に対して着脱可能に構成された電灯器とを備えた糞尿用容器であって、前記容器本体および前記蓋体の少なくとも一方には、前記開口部を閉塞した当該蓋体が当該容器本体よりも上方に位置する状態で当該糞尿用容器を持ち運び可能な取っ手が設けられ、前記電灯器は、前記容器本体に装着された状態において、前記開口部を上向きにした状態における当該容器本体の側方を照明する第１の照明状態、および当該開口部を上向きにした状態における当該容器本体の下方を照明する第２の照明状態の少なくとも２種類の状態で照明可能に構成されている。
【００１１】
請求項２記載の糞尿用容器は、請求項１記載の糞尿用容器において、前記容器本体は、前記開口部が開口されているときに前記電灯器を前記第１の照明状態における照明が可能な状態に移行させると共に、当該開口部が閉塞されているときに当該電灯器を前記第２の照明状態における照明が可能な状態に移行させる状態切替え機構を備えている。
【００１２】
請求項３記載の糞尿用容器は、請求項２記載の糞尿用容器において、前記電灯器は、前記第１の照明状態における照明および前記第２の照明状態における照明のいずれかに切り替える切替えスイッチを備えると共に、前記開口部を上向きにした状態における前記容器本体の底部に装着可能に構成され、前記状態切替え機構は、プッシュロッドを備えて構成され、前記プッシュロッドは、前記開口部を上向きにした状態における前記容器本体の上下方向に沿ってスライド可能に当該容器本体に配設されると共に、前記蓋体による前記開口部の開閉に連動してスライドさせられて前記切替えスイッチを操作する。
【００１３】
請求項４記載の糞尿用容器は、請求項１から３のいずれかに記載の糞尿用容器において、前記電灯器は、前記容器本体に設けられた被螺合部に螺合可能な螺合部が設けられて当該螺合部を当該被螺合部に螺合されることによって当該容器本体に装着可能に構成されている。
【００１４】
請求項５記載の糞尿用容器は、請求項１から４のいずれかに記載の糞尿用容器において、前記容器本体に装着された状態の前記電灯器に対して着脱可能に構成された貯水槽を備えている。
【００１５】
請求項６記載の糞尿用容器は、請求項５記載の糞尿用容器において、前記貯水槽は、前記容器本体における前記電灯器の装着場所に当該電灯器に代えて装着可能に構成されている。
【発明の効果】
【００１６】
請求項１記載の糞尿用容器では、容器本体および蓋体の少なくとも一方に、開口部を閉塞した蓋体が容器本体よりも上方に位置する状態で糞尿用容器を持ち運び可能な取っ手が設けられると共に、電灯器が、容器本体に装着された状態において、開口部を上向きにした状態における容器本体の側方を照明する第１の照明状態、および開口部を上向きにした状態における容器本体の下方を照明する第２の照明状態の少なくとも２種類の状態で照明可能に構成されている。
【００１７】
したがって、請求項１記載の糞尿用容器によれば、容器本体に電灯器を装着した状態で取っ手を握って糞尿用容器を持ち上げることで、一体となっている容器本体、蓋体および電灯器を片手で携行することができるため、別個に手に持つ携行品の数を減らすことができる結果、これらを一緒に収容する袋体等を別途用意することなく、容器本体、蓋体および電灯器を容易に携行することができる。これにより、糞尿用容器を携行した散歩時に安全に歩行することができる。また、電灯器を容器本体に装着したまま、容器本体の側方および下方を照明することができるため、歩行時には容器本体の下方（使用者の足下）を照明することで一層安全に歩行することができ、糞尿の収容作業時には、容器本体の側方（ペットの尻や、地面等に落下した糞尿）を照明することでペットや糞尿の位置を確実に視認して収容作業を確実かつ容易に行うことができる。
【００１８】
請求項２記載の糞尿用容器によれば、容器本体が、開口部が開口されているときに電灯器を第１の照明状態における照明が可能な状態に移行させると共に、開口部が閉塞されているときに電灯器を第２の照明状態における照明が可能な状態に移行させる状態切替え機構を備えたことにより、照明状態を手動で切り替える構成とは異なり、開口部を開口するだけで容器本体の側方（ペットの尻や、地面等に落下した糞尿）を照明することができ、開口部を閉塞するだけで容器本体の下方（歩行者の足下）を照明することができるため、糞尿の収容作業、および足下を照明する行為を一層容易に行うことができる。
【００１９】
請求項３記載の糞尿用容器によれば、状態切替え機構のプッシュロッドが、開口部を上向きにした状態における容器本体の上下方向に沿ってスライド可能に容器本体に配設されると共に、蓋体による開口部の開閉に連動してスライドさせられて電灯器の切替えスイッチを操作することにより、例えばマグネットセンサ等によって容器本体に対する蓋体の位置（開口部の開閉状態）を検出して第１の照明状態および第２の照明状態のいずれかに切り替える構成と比較して、状態切替え機構の構成部品（プッシュロッド）が安価であるため、糞尿用容器（容器本体）の製造コストを十分に低減することができる。
【００２０】
請求項４記載の糞尿用容器によれば、電灯器が、容器本体に設けられた被螺合部に螺合可能な螺合部が設けられて螺合部を被螺合部に螺合されることによって容器本体に装着可能に構成されていることで、ネジ止め等によって電灯器を容器本体に対して装着する構成とは異なり、容器本体に対する電灯器の着脱時に工具を用いる必要がないため、電灯器の着脱を容易に実行することができる。
【００２１】
請求項５記載の糞尿用容器によれば、容器本体に装着された状態の電灯器に対して着脱可能に構成された貯水槽を備えたことにより、容器本体に装着した電灯器に貯水槽を装着した状態で取っ手を握って糞尿用容器を持ち上げることで、一体となっている容器本体、蓋体、電灯器および貯水槽を片手で携行することができるため、別個に手に持つ携行品の数を減らすことができる結果、それらを一緒に収容する袋体等を別途用意することなく、容器本体、蓋体、電灯器および貯水槽を容易に携行することができる。
【００２２】
請求項６記載の糞尿用容器によれば、貯水槽を容器本体における電灯器の装着場所に電灯器に代えて装着可能に構成したことにより、電灯器による照明が不要なときに容器本体に対して貯水槽を装着した状態で糞尿用容器を携行することで、不要な電灯器を携行しない分だけ、使用者の負担を軽減することができる。
【図面の簡単な説明】
【００２３】
【図１】糞尿用容器１の各構成要素を一体化させた状態の外観斜視図である。
【図２】糞尿用容器１の各構成要素を分離させた状態の外観斜視図である。
【図３】糞尿用容器１の断面図である。
【図４】容器本体２におけるフック２４の形成部位の部分断面図である。
【図５】電灯器４を装着した状態における容器本体２の開口部Ｈｘを閉塞した状態の断面図である。
【図６】電灯器４を装着した状態における容器本体２の開口部Ｈｘを開口した状態の断面図である。
【図７】容器本体２に貯水槽５を装着した状態における断面図である。
【発明を実施するための形態】
【００２４】
以下、糞尿用容器の実施の形態について、添付図面を参照して説明する。
【００２５】
最初に、糞尿用容器１の構成について添付図面を参照して説明する。
【００２６】
図１〜３に示す糞尿用容器１は、「糞尿用容器」の一例であって、容器本体２、蓋体３、電灯器４および貯水槽５を備え、犬や猫などのペットが排出した糞Ｘａや尿Ｘｂ（図３参照：以下、総称して「糞尿Ｘ」ともいう）を収容可能に構成されている。
【００２７】
容器本体２は、「容器本体」に相当し、一例として、不透明な樹脂材料によって有底円筒状に形成されている。この容器本体２は、上端側に設けられた開口部Ｈｘから糞尿収容空間Ｓ２内に糞尿Ｘを入れたり出したりすることができるように構成されている。また、容器本体２の外周面における底部側には、被螺合部２１（雌ネジ部：「被螺合部」の一例）が設けられている。さらに、容器本体２の外周面には、取っ手２２が配設されている。この場合、取っ手２２は、「取っ手」の一例であって、容器本体２に対して蓋体３を開閉するときや、後述するようにペットの尻の下方に糞尿用容器１を移動させるときなどに容易に握持可能な位置に配設されている。
【００２８】
また、容器本体２における開口部Ｈｘ側の端部には、後述するように蓋体３に配設された係合部３２が係合可能な被係合部２３が形成されている。さらに、容器本体２の外周面には、図４に示すように、糞尿Ｘの付着を防止するために糞尿収容空間Ｓ２内にビニール袋（図示せず）を設置したときに、設置したビニール袋の持ち手部などを引っ掛けておくことが可能な一対のフック２４，２４が配設されている。
【００２９】
また、図３に示すように、容器本体２には、プッシュロッド２５およびスプリング２６（一例として、コイルスプリング）が配設されている。プッシュロッド２５は、「プッシュロッド」の一例であって、開口部Ｈｘを上向きにした状態における容器本体２の上下方向（各図における矢印Ｕ，Ｄの向き）に沿ってスライド可能に容器本体２に配設されると共に、後述するように蓋体３による開口部Ｈｘの開閉に連動してスライドさせられて、電灯器４における後述の切替えスイッチ４８を操作可能に構成されている。スプリング２６は、プッシュロッド２５を矢印Ｕの向きに付勢可能に配設されている。
【００３０】
なお、プッシュロッド２５を矢印Ｕの向きに付勢するスプリングが後述の切替えスイッチ４８内に配設されている場合には、このスプリング２６を不要とすることもできる。この場合、本例の糞尿用容器１では、プッシュロッド２５およびスプリング２６が相まって「状態切替え機構」を構成する。なお、プッシュロッド２５およびスプリング２６の動作については、後に詳細に説明する。
【００３１】
蓋体３は、「蓋体」に相当し、一例として、容器本体２と同様に不透明な樹脂材料によって円板状に形成されて容器本体２の開口部Ｈｘを閉塞可能に容器本体２に軸支されている。この蓋体３には、「取っ手」の他の一例である取っ手３１が配設されている。この場合、取っ手３１は、糞尿用容器１を持ち運ぶための主たる「取っ手」であって、開口部Ｈｘを閉塞した蓋体３が容器本体２よりも上方に位置する状態（図１，３，５，７に示す状態）で容易に握持可能な位置に配設されている。また、蓋体３には、容器本体２の被係合部２３に係合させられることで容器本体２に対する蓋体３の回動（開口部Ｈｘの開口）を規制する係合部３２が配設されている。
【００３２】
電灯器４は、「電灯器」に相当し、一例として、容器本体２や蓋体３と同様に不透明な樹脂材料によって円筒状に形成されて容器本体２に対して着脱可能に構成されている。この電灯器４の外周面における上端側には、容器本体２の被螺合部２１に螺合可能な螺合部４１（雄ネジ部：「螺合部」の一例）が設けられている。これにより、本例の糞尿用容器１では、蓋体３の螺合部４１を容器本体２の被螺合部２１に螺合させることによって容器本体２の底部に電灯器４を装着することが可能となっている（「開口部を上向きにした状態における容器本体の底部に装着可能」との構成の一例）。また、電灯器４の外周面における底部側には、被螺合部４２（雌ネジ部）が設けられている。この場合、本例の糞尿用容器１では、容器本体２の被螺合部２１と電灯器４の被螺合部４２とが同じネジピッチの雄ネジで構成されている。
【００３３】
この電灯器４は、ＬＥＤ４３，４４、バッテリ４５、蓋体４６、メインスイッチ４７、切替えスイッチ４８および図示しない制御回路を備えている。ＬＥＤ４３は、「第１の照明状態」での照明を行うための光源であって、電灯器４を装着した容器本体２の開口部Ｈｘを上向きにした状態において容器本体２の側方を照明することができる位置に配設されている。ＬＥＤ４４は、「第２の照明状態」での照明を行うための光源であって、電灯器４を装着した容器本体２の開口部Ｈｘを上向きにした状態において容器本体２の下方を照明することができる位置に配設されている。この場合、この電灯器４におけるＬＥＤ４３，４４との対向部位は透明な樹脂材料によって形成されている。バッテリ４５は、制御回路の制御下でＬＥＤ４３，４４に電源を供給する。蓋体４６は、ＬＥＤ４３，４４等と共に収容されたバッテリホルダ（図示せず）に対するバッテリ４５の着脱を行うための開口部を閉塞可能に構成されている。この場合、本例の電灯器４における上記の蓋体４６は、防水構造が採用されている。
【００３４】
メインスイッチ４７は、ＬＥＤ４３およびＬＥＤ４４の点灯や点滅を規制する状態（以下、「消灯状態」ともいう）と、ＬＥＤ４３またはＬＥＤ４４の切替えスイッチ４８の操作状態に応じた点灯を許容する状態（以下、「点灯状態」ともいう）と、ＬＥＤ４３およびＬＥＤ４４の点滅（「第１の照明状態」および「第２の照明状態」以外の「照明状態」の一例：以下、「点滅状態」ともいう）を許容する状態との３種類の状態のいずれかに切り替えることが可能に構成されて、操作部が電灯器４の周面から露出するように配設されている。切替えスイッチ４８は、「切替えスイッチ」の一例であって、容器本体２のプッシュロッド２５によって操作されることで、「第１の照明状態」における照明、および「第２の照明状態」における照明のいずれかを行うように電灯器４の状態を移行させる。この場合、上記のメインスイッチ４７および切替えスイッチ４８は、防水型スイッチで構成されている。
【００３５】
貯水槽５は、「貯水槽」の一例であって、ペットから排出された糞尿Ｘによって汚れが生じた地面等を洗い流すための水を貯水可能に構成されている。この貯水槽５は、一例として、透明な樹脂材料によって円筒状に形成されて容器本体２または電灯器４に対して着脱可能に構成されている。また、貯水槽５の外周面における上端側には、電灯器４の螺合部４１と同じネジピッチの雄ネジで構成された螺合部５１が設けられている。これにより、本例の糞尿用容器１では、貯水槽５の螺合部５１を容器本体２の被螺合部２１に螺合させることによって容器本体２の底部に貯水槽５を装着したり、貯水槽５の螺合部５１を電灯器４の被螺合部４２に螺合させることによって電灯器４の底部に貯水槽５を装着したりすることが可能となっている。さらに、貯水槽５は、水を導入するための導入口Ｈｉを閉塞する蓋体５２と、貯水している水を排水する排水口Ｈｏを閉塞する蓋体５３とを備えている。この場合、蓋体５３は、上記の排水口Ｈｏと連通可能な小孔が形成されている。
【００３６】
次に、糞尿用容器１の使用方法について添付図面を参照して説明する。
【００３７】
周囲が暗い時間帯にペットを散歩させるときには、図５に示すように、容器本体２の底部に電灯器４を装着する。この際には、例えば蓋体３の取っ手３１を握って糞尿用容器１を持ち上げることで、ペットに繋いだリードを一方の手で握りながら、蓋体３と一体化している容器本体２および電灯器４を他方の手で握って糞尿用容器１を携行することが可能となる。これにより、「糞尿用容器」とは別に「電灯器」を携行するのと比較して、別個に手に持つ携行品の数を十分に減少させることができる。なお、詳細な説明および図示を省略するが、糞尿収容空間Ｓ２内が糞尿Ｘの付着によって汚れるのを回避する際には、容器本体２に対して蓋体３を回動させて開口部Ｈｘを開口し、糞尿収容空間Ｓ２内にビニール袋等を設置した後に、容器本体２に対して蓋体３を開口時とは逆向きに回動させて開口部Ｈｘを閉塞する。この際に、ビニール袋の持ち手部等を容器本体２のフック２４，２４に引っ掛けておくことで、ビニール袋が糞尿収容空間Ｓ２内に落下してしまう事態を好適に回避することができる。
【００３８】
次いで、電灯器４のメインスイッチ４７を「点灯状態」および「点滅状態」のいずれかに切替え操作する。この際に、メインスイッチ４７が「点滅状態」に切替え操作されたときには、容器本体２に対する蓋体３の開閉状態に拘わらず、制御回路の制御下でＬＥＤ４３，４４が点滅させられる。これにより、例えば蓋体３の取っ手３１を握って携行している糞尿用容器１（電灯器４）から点滅光が出射される状態となるため、使用者の周囲が暗くても、その近くを通過しようとする車両の運転者などに対して使用者の存在を確実かつ容易に認識させることが可能となる。
【００３９】
また、メインスイッチ４７が「点灯状態」に切替え操作されたときには、切替えスイッチ４８の操作状態に応じてＬＥＤ４３およびＬＥＤ４４のいずれかが選択的に点灯させられる。この際に、開口部Ｈｘが蓋体３によって閉塞されているこの時点においては、容器本体２におけるプッシュロッド２５の上端部が蓋体３によって押圧されて矢印Ｄの向き（蓋体３から電灯器４に向かう向き）にスライドさせられており、切替えスイッチ４８がプッシュロッド２５の下端部によって「第２の照明状態」における照明を行うように操作されている。これにより、制御回路の制御に従ってＬＥＤ４４が点灯させられて、例えば蓋体３の取っ手３１を握って携行している糞尿用容器１（電灯器４）から容器本体２の下方（容器本体２に装着されている電灯器４の下方）に向かって光が出射される状態となる結果、使用者の足下が明るく照らされて安全に歩行することが可能となる。
【００４０】
一方、ペットが糞尿Ｘを排出しそうになったときには、図６に示すように、容器本体２に対して蓋体３を回動させて開口部Ｈｘを開口させ、取っ手３１に代えて容器本体２の取っ手２２を握って容器本体２（開口部Ｈｘ）をペットの尻の下方に位置させる。この際に、本例の糞尿用容器１では、容器本体２の開口部Ｈｘから蓋体３が離間させられることで、上端部が蓋体３に接しているプッシュロッド２５がスプリング２６の付勢力によって矢印Ｕの向き（電灯器４から蓋体３に向かう向き）にスライドさせられ、プッシュロッド２５の下端部に接している切替えスイッチ４８が「第１の照明状態」における照明を行うように操作される。この際には、制御回路の制御に従ってＬＥＤ４４に代えてＬＥＤ４３が点灯させられて、取っ手２２を握って持ち上げている糞尿用容器１（電灯器４）から容器本体２の側方（容器本体２に装着されている電灯器４の側方）に向かって光が出射される状態となり、周囲が暗くても、ペットの尻の位置を確実に視認することが可能な状態となる。これにより、ペットから排出される糞尿Ｘを開口部Ｈｘから糞尿収容空間Ｓ２内に直接落下させることが可能な位置に糞尿用容器１を確実に移動させることができる。
【００４１】
また、ペットから排出された糞尿Ｘを糞尿収容空間Ｓ２内に直接落下させることができないときには、ＬＥＤ４３から出射される光によって地面等に落下した糞尿Ｘを確実に視認することができる。さらに、開口部Ｈｘを開口したまま電灯器４が地面等に接するように糞尿用容器１を載置することで、糞尿用容器１の側方（地面等に落下した糞尿Ｘ）を電灯器４（ＬＥＤ４３）によって照明しながら糞尿Ｘを糞尿収容空間Ｓ２内に収容する作業を実施することができる。
【００４２】
さらに、糞尿Ｘの収容作業を完了したときには、容器本体２に対して蓋体３を回動させて開口部Ｈｘを閉塞させる。この際には、容器本体２におけるプッシュロッド２５の上端部が蓋体３によって押圧されてプッシュロッド２５が矢印Ｄの向きにスライドさせられ、プッシュロッド２５の下端部によって切替えスイッチ４８が「第２の照明状態」における照明を行うように操作される。これにより、制御回路の制御に従ってＬＥＤ４３に代えてＬＥＤ４４が点灯させられて、糞尿用容器１（電灯器４）から容器本体２の下方（容器本体２に装着されている電灯器４の下方）に向かって光が出射される状態となる結果、使用者の足下が再び明るく照らされる。
【００４３】
このように、本例の糞尿用容器１では、メインスイッチ４７を「点灯状態」に切替え操作しておくことで、その後は、容器本体２に対して蓋体３を開閉するだけで、必要な方向を自動的に照明することが可能となっている。
【００４４】
一方、本例の糞尿用容器１では、周囲が暗い時間帯の散歩時に糞尿Ｘによって汚れが生じた地面等を洗浄するための水を携行するときには、図３に示すように、容器本体２に装着した電灯器４の底部に、水を貯水した状態の貯水槽５を装着する。この際には、例えば蓋体３の取っ手３１を握って糞尿用容器１を持ち上げることで、ペットに繋いだリードを一方の手で握りながら、蓋体３と一体化している容器本体２、電灯器４および貯水槽５を他方の手で握って糞尿用容器１を携行することが可能となる。これにより、「糞尿用容器」や「電灯器」とは別に「洗浄用ボトル」を携行するのと比較して、別個に手に持つ携行品の増加を好適に回避することができる。
【００４５】
また、貯水槽５が透明な樹脂材料で形成されているため、開口部Ｈｘが蓋体３によって閉塞された状態で容器本体２の下方（容器本体２の底部に装着されている電灯器４の下方）に向かってＬＥＤ４４から出射された光が貯水槽５および水を透過して貯水槽５の下方に出射される結果、貯水槽５を装着していない前述の使用例と同様にして、使用者の足下を明るく照らすことができる。さらに、糞尿収容空間Ｓ２への糞尿Ｘの収容に際しても、蓋体３による開口部Ｈｘの開閉や、ＬＥＤ４３からの光の出射が貯水槽５によって妨げられることがないため、貯水槽５を装着していない前述の使用例と同様にして、ペットの尻や、地面等に落下した糞尿Ｘを明るく照らすことができる。また、地面等を洗浄する際には、貯水槽５を電灯器４に装着したまま、取っ手２２または取っ手３１を握って糞尿用容器１を持ち上げて、蓋体５３の小孔を排水口Ｈｏと連通させるようにして蓋体５３を回動させる。これにより、貯水空間Ｓ５内に貯水されている水を貯水槽５の外に排水させて地面等を洗浄することができる。
【００４６】
また、本例の糞尿用容器１では、周囲が明るい時間帯にペットを散歩させるとき、すなわち、電灯器４による照明が不要なときには、容器本体２から電灯器４を取り外して蓋体３と一体化している容器本体２だけを携行することができる。これにより、照明が不要なときには、バッテリ４５の搭載によってある程度の重さを有している電灯器４を携行せずに糞尿Ｘを糞尿収容空間Ｓ２内に収容して搬送することが可能となっている。さらに、周囲が明るい時間帯の散歩に際して地面等を洗浄するための水を携行するときには、電灯器４に代えて、図７に示すように、容器本体２の底部に貯水槽５に装着する。この際には、例えば蓋体３の取っ手３１を握って糞尿用容器１を持ち上げることで、ペットに繋いだリードを一方の手で握りながら、蓋体３と一体化している容器本体２および貯水槽５を他方の手で握って糞尿用容器１を携行することが可能となる。これにより、「糞尿用容器」とは別に「洗浄用ボトル」を携行するのと比較して、別個に手に持つ携行品の増加を好適に回避することができる。
【００４７】
このように、この糞尿用容器１では、容器本体２および蓋体３に、開口部Ｈｘを閉塞した蓋体３が容器本体２よりも上方に位置する状態で糞尿用容器１を持ち運び可能な取っ手２２，３１が設けられると共に、電灯器４が、容器本体２に装着された状態において、開口部Ｈｘを上向きにした状態における容器本体２の側方を照明する「第１の照明状態」、および開口部Ｈｘを上向きにした状態における容器本体２の下方を照明する「第２の照明状態」の少なくとも２種類の状態（本例では、両「照明状態」および「点滅状態」の３種類の状態）で照明可能に構成されている。
【００４８】
したがって、この糞尿用容器１によれば、容器本体２に電灯器４を装着した状態で取っ手３１または取っ手２２を握って糞尿用容器１を持ち上げることで、一体となっている容器本体２、蓋体３および電灯器４を片手で携行することができるため、別個に手に持つ携行品の数を減らすことができる結果、これらを一緒に収容する袋体等を別途用意することなく、容器本体２、蓋体３および電灯器４を容易に携行することができる。これにより、糞尿用容器１を携行した散歩時に安全に歩行することができる。また、電灯器４を容器本体２に装着したまま、容器本体２の側方および下方を照明することができるため、歩行時には容器本体２の下方（使用者の足下）を照明することで一層安全に歩行することができ、糞尿Ｘの収容作業時には、容器本体２の側方（ペットの尻や、地面等に落下した糞尿Ｘ）を照明することでペットや糞尿Ｘの位置を確実に視認して収容作業を確実かつ容易に行うことができる。
【００４９】
また、この糞尿用容器１によれば、容器本体２が、開口部Ｈｘが開口されているときに電灯器４を「第１の照明状態」における照明が可能な状態に移行させると共に、開口部Ｈｘが閉塞されているときに電灯器４を「第２の照明状態」における照明が可能な状態に移行させる「状態切替え機構」（本例ではプッシュロッド２５およびスプリング２６）を備えたことにより、照明状態を手動で切り替える構成とは異なり、開口部Ｈｘを開口するだけで容器本体２の側方（ペットの尻や、地面等に落下した糞尿Ｘ）を照明することができ、開口部Ｈｘを閉塞するだけで容器本体２の下方（歩行者の足下）を照明することができるため、糞尿Ｘの収容作業、および足下を照明する行為を一層容易に行うことができる。
【００５０】
さらに、この糞尿用容器１によれば、「状態切替え機構」のプッシュロッド２５が、開口部Ｈｘを上向きにした状態における容器本体２の上下方向に沿ってスライド可能に容器本体２に配設されると共に、蓋体３による開口部Ｈｘの開閉に連動してスライドさせられて電灯器４の切替えスイッチ４８を操作することにより、例えばマグネットセンサ等によって容器本体２に対する蓋体３の位置（開口部Ｈｘの開閉状態）を検出して「第１の照明状態」および「第２の照明状態」のいずれかに切り替える構成と比較して、「状態切替え機構」の構成部品（プッシュロッド２５）が安価であるため、糞尿用容器１（容器本体２）の製造コストを十分に低減することができる。
【００５１】
また、この糞尿用容器１によれば、電灯器４が、容器本体２に設けられた被螺合部２１に螺合可能な螺合部４１が設けられて螺合部４１を被螺合部２１に螺合されることによって容器本体２に装着可能に構成されていることで、ネジ止め等によって電灯器４を容器本体２に対して装着する構成とは異なり、容器本体２に対する電灯器４の着脱時に工具を用いる必要がないため、電灯器４の着脱を容易に実行することができる。
【００５２】
また、この糞尿用容器１によれば、容器本体２に装着された状態の電灯器４に対して着脱可能に構成された貯水槽５を備えたことにより、容器本体２に装着した電灯器４に貯水槽５を装着した状態で取っ手３１または取っ手２２を握って糞尿用容器１を持ち上げることで、一体となっている容器本体２、蓋体３、電灯器４および貯水槽５を片手で携行することができるため、別個に手に持つ携行品の数を減らすことができる結果、それらを一緒に収容する袋体等を別途用意することなく、容器本体２、蓋体３、電灯器４および貯水槽５を容易に携行することができる。
【００５３】
さらに、この糞尿用容器１によれば、貯水槽５を容器本体２における電灯器４の装着場所（被螺合部２１）に電灯器４に代えて装着可能に構成したことにより、電灯器４による照明が不要なときに容器本体２に対して貯水槽５を装着した状態で糞尿用容器１を携行することで、不要な電灯器４を携行しない分だけ、使用者の負担を軽減することができる。
【００５４】
なお、「糞尿用容器」の構成は、上記の糞尿用容器１の構成の例に限定されない。
【００５５】
例えば、容器本体２に取っ手２２を配設し、かつ蓋体３に取っ手３１を配設した構成を例に挙げて説明したが、取っ手２２，３１のいずれか一方だけを配設した構成を採用することもできる。また、電灯器４の底部および容器本体２の底部に貯水槽５を装着可能に構成した例について説明したが、「電灯器」だけに「貯水槽」を装着可能な構成（「容器本体」に「貯水槽」を装着できない構成）や、「容器本体」だけに「貯水槽」を装着可能な構成（「電灯器」に「貯水槽」を装着できない構成）を採用することもできる。さらに、「貯水槽」を備えずに「糞尿用容器」を構成することもできる。
【００５６】
また、プッシュロッド２５を備えて「状態切替え機構」を構成した例について説明したが、このような構成に代えて、マグネットセンサやマイクロスイッチを「容器本体」に配設して「状態切替え機構」を構成し、それらを介して「容器本体」に対する「蓋体」の位置（「開口部」の開閉状態）を検出して「第１の照明状態」および「第２の照明状態」に切り替える構成を採用することもできる。さらに、切替えスイッチ４８とは別個にメインスイッチ４７を配設した電灯器４の構成を例に挙げて説明したが、例えば、メインスイッチ４７に代えて、振動センサおよび照度センサを「電灯器」に配設し、規定された明るさよりも暗い状態で「糞尿用容器」に振動が加わったときに「第１の照明状態」および「第２の照明状態」のいずれかで照明する構成を採用することもできる。
【符号の説明】
【００５７】
１  糞尿用容器
２  容器本体
３，５２，５３  蓋体
４  電灯器
５  貯水槽
２１，４２  被螺合部
２２，３１  取っ手
２３  被係合部
２４  フック
２５  プッシュロッド
２６  スプリング
３２  係合部
４１，５１  螺合部
４３，４４  ＬＥＤ
４５  バッテリ
４６  蓋体
４７  メインスイッチ
４８  切替えスイッチ
Ｈｉ  導入口
Ｈｏ  排水口
Ｈｘ  開口部
Ｓ２  糞尿収容空間
Ｓ５  貯水空間
Ｘ  糞尿
Ｘａ  糞
Ｘｂ  尿
【要約】
【課題】周囲が暗い時間帯の散歩時に、糞尿の収容作業を容易に行うことができ、かつ別個に手に持つ携行品の数を減らすことが可能な糞尿用容器を提供する。
【解決手段】ペットの糞尿Ｘを収容可能な容器本体２と、容器本体２に設けられた開口部Ｈｘを閉塞可能な蓋体３と、容器本体２に対して着脱可能に構成された電灯器４とを備えた糞尿用容器１であって、容器本体２および蓋体３には、開口部Ｈｘを閉塞した蓋体３が容器本体２よりも上方に位置する状態で糞尿用容器１を持ち運び可能な取っ手２２，３１が設けられ、電灯器４は、容器本体２に装着された状態において、開口部Ｈｘを上向きにした状態における容器本体２の側方を照明する第１の照明状態、および開口部Ｈｘを上向きにした状態における容器本体２の下方を照明する第２の照明状態の少なくとも２種類の状態で照明可能に構成されている。
【選択図】図３【図１】
0006915130.tif 000002
【図２】
0006915130.tif 000003
【図３】
0006915130.tif 000004
【図４】
0006915130.tif 000005
【図５】
0006915130.tif 000006
【図６】
0006915130.tif 000007
【図７】
0006915130.tif 000008